(57)【要約】【課題】  長期入院患者、寝たきり老人、車椅子生活者等に床ずれが生じるのを確実に防止できる床ずれ防止カバー及び床ずれ防止パンツを提供する。【解決手段】  クッション部材を被覆する床ずれ防止カバー１であって、クッション部材の上面を覆う上面部１ａにギャザー２を設けた。  床ずれ防止カバー１は、伸縮性基材で構成されたものである。  臀部３１ａにギャザー２を設けた床ずれ防止パンツ３１。  床ずれ防止パンツ３１は、伸縮性基材で構成されたものである。【選択図】      図１ 
2005177370.tif 000002
【特許請求の範囲】
【請求項１】
クッション部材を被覆する床ずれ防止カバーであって、
前記クッション部材の上面を覆う上面部にギャザーを設けたことを特徴とする床ずれ防止カバー。
【請求項２】
伸縮性基材で構成された請求項１記載の床ずれ防止カバー。
【請求項３】
臀部にギャザーを設けたことを特徴とする床ずれ防止パンツ。
【請求項４】
伸縮性基材で構成された請求項３記載の床ずれ防止パンツ。
【発明の詳細な説明】
【技術分野】
【０００１】
本発明は、長期入院患者、寝たきり老人、車椅子生活者等に床ずれが生じるのを防止する床ずれ防止カバー及び床ずれ防止パンツに関するものである。
【背景技術】
【０００２】
従来のこの種の技術としては、表平面の縫い目をなくしたクッションカバー等が知られている（例えば、特許文献１参照。）。
【特許文献１】特開２００３−１２６５７３号公報（第２頁，図１等）
【発明の開示】
【発明が解決しようとする課題】
【０００３】
しかしながら、上記のようなクッションカバーでは表平面に縫い目がないだけであるので、このクッションカバーで被覆されたクッションに車椅子生活者等が長時間座っていれば、車椅子生活者の臀部等に床ずれが生じるおそれがあるという問題点がある。
【０００４】
本発明は、以上のような問題点に鑑みてなされたものであり、長期入院患者、寝たきり老人、車椅子生活者等に床ずれが生じるのを確実に防止できる床ずれ防止カバー及び床ずれ防止パンツを提供することを目的とする。
【課題を解決するための手段】
【０００５】
上記目的を達成するための請求項１の床ずれ防止カバーは、クッション部材を被覆する床ずれ防止カバーであって、前記クッション部材の上面を覆う上面部にギャザーを設けたものである。
【０００６】
請求項２の床ずれ防止カバーは、伸縮性基材で構成されたものである。
【０００７】
また、請求項３の床ずれ防止パンツは、臀部にギャザーを設けたものである。
【０００８】
請求項４の床ずれ防止パンツは、伸縮性基材で構成されたものである。
【発明の効果】
【０００９】
請求項１の発明によれば、床ずれ防止カバーで被覆されたマットレスやクッション等のクッション部材上に寝る者又は座る者のギャザーに接する部位においては、伸縮自在なギャザーの存在により前記寝る者又は前記座る者の体圧がクッション部材に直接作用するので、長期入院患者等がクッション部材上に長時間寝ていたり、車椅子生活者等がクッション部材上に長時間座っていたりしても床ずれが生じるのを確実に防止することができる。
【００１０】
請求項３の発明によれば、床ずれ防止パンツを履いた者のギャザーに接する臀部においては、伸縮自在なギャザーの存在により床ずれ防止パンツを履いた者の体圧がクッション部材や車椅子上のクッション部材等に直接作用するので、長期入院患者等がクッション部材上に長時間寝ていたり、車椅子生活者等が車椅子上のクッション部材等に長時間座っていたりしても床ずれが生じるのを確実に防止することができる。
【００１１】
請求項２及び請求項４の発明によれば、長期入院患者、寝たきり老人、又は車椅子生活者等のギャザー部分に接する部位に床ずれが生じにくいと共に、ギャザーの伸縮性が高まるためにギャザーに接する部位に床ずれが生じるのをより効果的に防止することができる。
【発明を実施するための最良の形態】
【００１２】
以下、本発明の実施形態を図面に基づいて説明する。
第１実施形態に係る床ずれ防止カバー１は、図１に示すように、マットレス（クッション部材）を被覆するベッドカバーであって、マットレスの上面を覆う上面部１ａにギャザー２を設けたものである。
【００１３】
この床ずれ防止カバー１は、織物又は不織布等からなる基材を袋状に形成したものであり、その下面部又は側面部１ｂ，１ｃに平面視が矩形状で扁平なマットレスを出し入れするための開閉自在な開口部（図示せず）が設けられている。開口部の開閉手段としては、ファスナや面状ファスナ等が挙げられる。
【００１４】
ギャザー２は、基材を蛇腹状（ひだ状）に縮めて皺をよせたものであり、基材に内設されたゴム紐等により伸縮性が付与されている。このギャザー２は、床ずれ防止カバー１の上面部１ａにおける例えば長手方向の中央部にそのひだの方向が上面部１ａの幅方向に沿うように設けられている。そのため、床ずれ防止カバー１の上面部１ａは、その長手方向に伸縮自在となっている。図２に示すように、ギャザー２をそのひだの方向が上面部１ａの長手方向に沿うように設けておけば、床ずれ防止カバー１の上面部１ａはその幅方向に伸縮自在となる。なお、ギャザー２のひだの方向は特に限定されるものではなく、放射状や格子状等であってもよい。また、ギャザー２を設ける位置は特に限定されるものではないが、床ずれ防止カバー１で被覆されたマットレス上に寝る者（長期入院患者、寝たきり老人等）の少なくとも臀部が当接する部分に設けておくのが望ましい。
【００１５】
上記のように構成された床ずれ防止カバー１によれば、この床ずれ防止カバー１で被覆されたマットレス上に寝る者のギャザー２に接する部位においては、伸縮自在なギャザー２の存在により前記マットレス上に寝る者の体圧がマットレスに直接作用するので、長期入院患者等がマットレス上に長時間寝ていても床ずれが生じるのを確実に防止できるという利点がある。
【００１６】
第２実施形態に係る床ずれ防止カバー２１は、図３に示すように、クッション（クッション部材）を被覆するクッションカバーであって、クッションの上面を覆う上面部２１ａにギャザー２を設けたものである。
【００１７】
この床ずれ防止カバー２１は、第１実施形態と同様に構成されており、その下面部又は側面部２１ｂ，２１ｃに直方体状のクッションを出し入れするための開閉自在な開口部（図示せず）が設けられている。なお、クッションの立体形状は特に限定されるものではなく、クッションの立体形状に合わせて床ずれ防止カバー２１を形成しておけばよい。
【００１８】
ギャザー２は、床ずれ防止カバー２１の上面部２１ａにおける例えば長手方向の中央から端部に渡ってそのひだの方向が上面部２１ａの幅方向に沿うように設けられている。そのため、床ずれ防止カバー２１の上面部２１ａは、その長手方向に伸縮自在となっている。図４に示すように、ギャザー２をそのひだの方向が上面部２１ａの長手方向に沿うように設けておけば、第１実施形態と同様、床ずれ防止カバー２１の上面部２１ａはその幅方向に伸縮自在となる。なお、ギャザー２のひだの方向は特に限定されるものではなく、適宜変更可能である。また、ギャザー２を設ける位置は特に限定されるものではないが、床ずれ防止カバー２１で被覆されたクッション上に座る者（車椅子生活者等）の少なくとも臀部が当接する部分に設けておくのが望ましい。
【００１９】
上記のように構成された床ずれ防止カバー２１によれば、この床ずれ防止カバー２１で被覆されたクッション上に座る者のギャザー２に接する部位においては、伸縮自在なギャザー２の存在により前記クッション上に座る者の体圧がクッションに直接作用するので、車椅子生活者等がクッション上に長時間座っていても床ずれが生じるのを確実に防止できるという利点がある。
【００２０】
なお、第１及び第２実施形態においては、床ずれ防止カバー１，２１を袋状に形成しているが、床ずれ防止カバー１，２１の構成はこれに限定されるものではなく、マットレスやクッション等のクッション部材の上面を覆う上面部１ａ，２１ａを有する各種の構成（下面部の開口部周囲の開口端部を周方向に伸縮自在としてクッション部材の下面周縁に引っ掛けるようにしたもの、シーツ状等）を採用することができる。また、クッション部材としては、マットレスやクッションに限定されるものではなく、敷き布団等であってもよい。クッション部材が敷き布団である場合は、床ずれ防止カバー１を布団カバーとして使用することができる。
【００２１】
第３実施形態に係る床ずれ防止パンツ３１は、図５及び図６に示すように、臀部３１ａにギャザー２を設けたものである。
【００２２】
この床ずれ防止パンツ３１は、織物又は不織布等からなる基材で長ズボン（スラックス、パジャマズボン等）状に形成されている。なお、床ずれ防止パンツ３１の丈の長さや形状等は特に限定されるものではなく、いわゆる短パン状、バミューダパンツ状、スウェットパンツ状、オーバーオール状、ジャンプスーツ状、スパッツ状、ブリーフ状、パンティー状等であってもよい。
【００２３】
ギャザー２は、第１及び第２実施形態と同様、基材を蛇腹状（ひだ状）に縮めて皺をよせたものであり、基材に内設されたゴム紐等により伸縮性が付与されている。このギャザー２は、床ずれ防止パンツ３１の臀部３１ａにそのひだの方向が横方向となるように設けられている。そのため、床ずれ防止パンツ３１の臀部３１ａは、縦方向に伸縮自在となっている。図７に示すように、ギャザー２をそのひだの方向が縦方向となるように設けておけば、床ずれ防止パンツ３１の臀部３１ａは横方向に伸縮自在となる。なお、ギャザー２のひだの方向は特に限定されるものではなく、適宜変更可能である。
【００２４】
上記のように構成された床ずれ防止パンツ３１によれば、この床ずれ防止パンツ３１を履いた者（長期入院患者、寝たきり老人、車椅子生活者等）のギャザー２に接する臀部においては、伸縮自在なギャザー２の存在により床ずれ防止パンツ３１を履いた者の体圧がマットレス、車椅子上のクッション等に直接作用するので、長期入院患者等がマットレス上に長時間寝ていたり、車椅子生活者等が車椅子上のクッション等に長時間座っていたりしても床ずれが生じるのを確実に防止できるという利点がある。
【００２５】
ここで、第１〜第３実施形態における基材が編物等の伸縮性基材であれば、長期入院患者、寝たきり老人、又は車椅子生活者等のギャザー２部分に接する部位に床ずれが生じにくいと共に、ギャザー２の伸縮性が高まるためにギャザー２に接する部位に床ずれが生じるのをより効果的に防止できるという利点がある。
【産業上の利用可能性】
【００２６】
以上のように、本発明に係る床ずれ防止カバー及び床ずれ防止パンツは、長期入院患者、寝たきり老人、車椅子生活者等に床ずれが生じるのを確実に防止するベッドカバー、クッションカバー、パンツ等として有用である。
【図面の簡単な説明】
【００２７】
【図１】第１実施形態に係る床ずれ防止カバーの使用状態を示す斜視図。
【図２】ギャザーをそのひだの方向が上面部の長手方向に沿うように設けた例を示す斜視図。
【図３】第２実施形態に係る床ずれ防止カバーの使用状態を示す斜視図。
【図４】ギャザーをそのひだの方向が上面部の長手方向に沿うように設けた例を示す斜視図。
【図５】第３実施形態に係る床ずれ防止パンツの背面図。
【図６】図５の床ずれ防止パンツの正面図。
【図７】ギャザーをそのひだの方向が縦方向となるように設けた例を示す背面図。
【符号の説明】
【００２８】
１，２１  床ずれ防止カバー
１ａ，２１ａ  上面部
２  ギャザー
３１  床ずれ防止パンツ
３１ａ  臀部
【図１】
2005177370.tif 000003
【図２】
2005177370.tif 000004
【図３】
2005177370.tif 000005
【図４】
2005177370.tif 000006
【図５】
2005177370.tif 000007
【図６】
2005177370.tif 000008
【図７】
2005177370.tif 000009